(57)【要約】      （修正有）【課題】看板光源の高輝度ＬＥＤの放熱をより効果的に行い、そのような放熱手段を利用して、簡単に光源ユニットを看板に着脱することを可能とする。【解決手段】看板の光源ユニット２は、広告面を照らす複数の高輝度ＬＥＤ５…５と、高輝度ＬＥＤ５…５を保持し且つヒートシンクである支持体６と、支持体６を看板に固定する取付部材４とを備える。支持体６は、側面部に放熱を促進する起伏部７を備える。取付部材４は、看板に固定される基体部４１と、２つの保持片４２，４２とを備える。保持片４２，４２の夫々も、起伏部８を備える。保持片４２，４２は、保持片４２，４２間に支持体６を押圧することにより押し広げられて、支持体６を保持片４２，４２間へ強制的に挿入することができ、起伏部７，８同士が嵌り合うことにより支持体６の脱落を防止する。【選択図】図５
0003126166.tif 000002
【実用新案登録請求の範囲】
【請求項１】
広告面を備えた看板に設けられるものであり、電気の供給を受けて発光し、看板の照明を行う、複数の高輝度ＬＥＤを備えた看板の光源ユニットであって、
複数の上記高輝度ＬＥＤと、当該高輝度ＬＥＤを支持する支持体と、当該支持体を看板或いは建造物の固定部位に固定する取付部材とを備えたものであり、
上記支持体は、前面部と、側面部と、後面部とを備え、且つ、当該前面部に複数の上記高輝度ＬＥＤを間隔を開けて保持する、板状のヒートシンクであり、当該側面部に放熱を促進する起伏部を備え、
上記の取付部材は、上記の固定部位に固定される基体部と、基体部から突出する少なくとも２つの保持片とを備え、上記基体部が上記支持体の後面部と対応し、上記保持片の夫々が支持体の側面部と対応するものであり、
上記保持片の夫々は、支持体側面の上記起伏部と対応する、起伏部を備えたものであり、
上記の両保持片は、弾性を備え、当該保持片間に上記支持体を押圧することにより保持片間が押し広げられて、上記支持体を保持片間へ強制的に挿入することができ、支持体と保持片の上記起伏部同士が嵌り合うことにより、記支持体の脱落を防止することを特徴とする看板の光源ユニット。
【請求項２】
上記の支持体は、前面側から眺めた状態において長辺と短辺とを備えた、長尺状体であり、
上記の支持体側面部の起伏部は、支持体の長手方向に沿って伸びるものであり、
取付部材に嵌められた上記の支持体を、取付部材の保持片の上記起伏部をガイドとしてスライドさせることにより、固定部位に対する取り付け位置を調整することができる請求項１記載の看板の光源ユニット。
【請求項３】
取付部材の上記基体部が、上記支持体と、固定部位との間に介されることにより、上記支持体の後面部と、上記固定部位との間に間隔が確保され、支持体後面部が空気と接触し放熱できることを特徴とする請求項２記載の看板の光源ユニット。
【請求項４】
光源ユニットは、光を透過する広告面を備えた内照式看板の、ケーシングの内部に設けられるものである内照式の看板の光源ユニットであって、
上記の取付部材は、当該支持体を上記ケーシング内に固定するものであり、
上記の支持体は、２つの側面構成片と、両側面構成片間を連結する連結部とを備えた金属製の断面視略Ｈ型の部材であり、
上記連結部の前面と、両側面構成片の上記連結部よりも前面側に突出する部位とが、支持体の前面部を構成し、上記連結部の後面と、両側面構成片の上記連結部より後面側に突出する部位とが、支持体の後面部を構成し、
上記の上記高輝度ＬＥＤの夫々は、１本の支持体の上記連結部の前面へ、間隔を開け、当該支持体の長手方向に沿って一列に配列されたものであり、隣り合う当該高輝度ＬＥＤ間の間隔は４０ｍｍ〜２００ｍｍであり、
当該支持体には、各高輝度ＬＥＤを覆い光を分散する光透過板が備えられ、
上記両側面構成片の内側の面において、上記連結部よりも前方の部位には、上記光透過板の後面と対応する棚部と、当該光透過板の前面と対応する押さえ部とが形成され、当該棚部と押さえ部との間に上記光透過板の周縁部が配置されており、
上記両側面構成片の後端から内側に突出する当接部が形成され、当該当接部は、上記取付部材の基体部と当接するものであり、
支持体側面部の上記起伏部は、両側面構成片の外側の面に設けられて、支持体の長手方向へ伸びる溝であり、
上記の取付部材の起伏部は、保持片の内側に設けられて、上記溝に嵌合する突出部であり、
上記の取付部材は、１本の支持体に対してケーシングの内面に複数設けられ、当該複数の取付部材は間隔を開けて配置されたものであることを特徴とする請求項３記載の看板の光源ユニット。
【請求項５】
光を透過する広告面を備えたケーシングと、当該ケーシングの内部に設けられ電気の供給を受けて発光する複数の高輝度ＬＥＤと、当該電気を供給する電源と、高輝度ＬＥＤに流れる電流の値を所定の値に維持する制御を行う電流制御回路とを備えた内照式看板であって、
光源ユニットを備え、
上記の光源ユニットは、複数の上記高輝度ＬＥＤと、当該高輝度ＬＥＤを支持する支持体と、当該支持体を上記ケーシング内に固定する取付部材とを備えたものであり、
上記支持体は、前面部と、側面部と、後面部とを備え、且つ、当該前面部に複数の上記高輝度ＬＥＤを間隔を開けて保持する、板状のヒートシンクであり、当該側面部に放熱を促進する起伏部を備え、
上記の取付部材は、ケーシングの内面に固定される基体部と、当該基体部から突出する少なくとも２つの保持片とを備えた金属製の部材であり、上記基体部が上記支持体の後面部と対応し、上記保持片の夫々が支持体の側面部と対応するものであり、
上記保持片の夫々は、支持体側面の上記起伏部と対応する、起伏部を備えたものであり、
上記両保持片は、弾性を備え、当該両保持片間に上記支持体を押圧することにより保持片間が押し広げられて、上記支持体を保持片間へ強制的に挿入することができ、支持体と保持片の上記起伏部同士が嵌り合うことにより、上記支持体の脱落を防止するものであり、
ケーシングの上記取付部材が固定される部位は、金属製の放熱用部材であることを特徴とする内照式看板。
【考案の詳細な説明】
【技術分野】
【０００１】
本願の考案は、看板の光源ユニットと内照式看板の改良に関する。
【背景技術】
【０００２】
【特許文献１】特開２００１−９２３９６号公報
【特許文献２】特開２００５−１７５７３号公報
【０００３】
内照式看板、即ち、ケーシングと、ケーシング内に設けられ電気の供給を受けて光る光源と、この光源に電気を供給する電源とを備え、当該ケーシングが、当該光源からの光を透過する広告面を有する看板において、従来より、光源として蛍光灯を用いるのが一般的であった。具体的には、一つの看板のケーシング内に、複数の蛍光管を配設して、広告面を照らしていた。
しかし、蛍光管の寸法は、規格化されており、各種の看板のサイズや広告面の表示寸法にきめ細やかに対応できるものではなかった。
また、蛍光灯は、寿命が短く、メンテナンスを頻繁に行う必要があり、更に、消費電力も大きいものであった。
【０００４】
このため、近年、特許文献１及び２に見られるように、発光ダイオード（ＬＥＤ）を光源に採用するものが提案されている。
これらの文献に示されているのは、蛍光灯に代えて、ＬＥＤを光源として用いた看板である。このように蛍光灯に比して、消費電力が小さく寿命の長い、ＬＥＤを光源に用いることにより、省エネルギの向上や上記のメンテナンスの軽減を図ることが可能と考えられた。特に、個々のＬＥＤは蛍光管に比べて遥かに小さいものであり、看板のサイズや広告の表示面の寸法に応じた、蛍光管の配置の自由度は格段に高いものと考えられた。
【０００５】
しかし、一般的な従来のＬＥＤは、１つの素子の消費電力は小さなものであるが、輝度も低く、多数のＬＥＤを光源として看板内に配置する必要があった。即ち、個々のＬＥＤの消費電力や発熱量は小さいものであっても、看板として一般的な１０００〜２０００ＬＸ（ルクス）即ち２０Ｗ（ワット）の蛍光灯３本程度の照度（インバータを採用しない場合、２０Ｗ表示の蛍光灯について、実際には２５Ｗ消費するので、２５Ｗ×３本で７５Ｗ）を確保しようとすれば、多数のＬＥＤ（約５００個）が必要となる。
このため、例えば、光源に３本の蛍光灯を用いるのなら取り付け作業は３回で済むところ、このような多数のＬＥＤを看板内に配列するのは、厄介なものである。
また、上記にて多数のＬＥＤを用いた場合、看板全体としては、大きな電力（約１５０Ｗ）を要し、大量の発熱を生じるものとなる。特に、多数のＬＥＤは、密に配置されることになるので、熱に弱いＬＥＤについて、十分な放熱対策が必要となる。
更に、一般に光源となるＬＥＤに対して、その電流値の安定させる回路を必要とするものであり、上記の通り多数のＬＥＤを結線し、このような多数のＬＥＤに対して構成された上記の回路を、看板の寸法の変更が生じたからと、簡単に変更することできない。
即ち、ＬＥＤの数量に応じて、必要な抵抗値等を計算して構成された回路を、看板の寸法の変更により、配置するＬＥＤの数量に変更が必要となった場合、回路全体を変更する必要があり、フレキシブルにＬＥＤ数の変更に対応することは困難であった。
【０００６】
このような背景から、近年開発された高輝度ＬＥＤを、上記の蛍光灯に代えて内照式看板の光源として、使用できれば上記の問題を回避できると考えられる。特に、数個の高輝度ＬＥＤを一纏めにして看板内へ取り付けることができれば、従来の蛍光灯を用いる場合に比して面倒となることはないと考えることができる。
上記の高輝度ＬＥＤは、上記従来のＬＥＤの１０〜３０倍の輝度を有するものであり、内照式看板として必要な上記の１０００〜２０００ＬＸを確保するのに、少数（約２４個）で足りる。この数量において高輝度ＬＥＤが消費する電力は、３４Ｗと省エネルギー効果も極めて高い。また、少数であれば、疎に分布させることができ、配置の自由度も大きい。更に、複数個を一纏めにして取り付けることができれば、蛍光灯に比して、看板への取り付けが手間になるということもない。
しかし、個々の高輝度ＬＥＤは、従来のＬＥＤに比して、発熱量も大きなものであり、この点無視できるものではない。また、上記の通り、少数の高輝度ＬＥＤで従来の内照式看板を形成すると、ＬＥＤの分布が疎となり、広告面のＬＥＤと近い部位とＬＥＤから遠い部位とでは、明暗のコントラストの差が極めて大きいものとなる。高輝度であるがゆえ、特に、ＬＥＤと、ＬＥＤ間との明暗の差はより顕著である。
【０００７】
そこで本願の出願人は、本願に先立ち、その出願人の一人として特願２００５−１３６３３０号を行い、当該出願にて、ケーシングと、ケーシング内に設けられ電気の供給を受けて光る光源と、この光源に電気を供給する電源とを備え、当該ケーシングは、当該光源からの光を透過する、広告面を有する内照式看板について、上記の光源と、ケーシング内に当該光源を支持する支持体と、上記の光源と電気的に接続された電流制御回路とを備え、上記光源が、複数の高輝度ＬＥＤにて構成され、且つ、上記の電源と電気的に接続され、支持体の少なくとも一部は、光源のヒートシンクであり、当該ヒートシンクが、複数の上記高輝度ＬＥＤ同士を間隔を開けて保持し、上記の電流制御回路が、上記高輝度ＬＥＤに流れる電流の値を所定の値に維持する制御を行うものを提供し、上記の問題の解決を図ることにより、このような優れた高輝度ＬＥＤを、従来の蛍光灯に比して看板への取り付けの手間が掛かるものとすることなく、簡便に内照式看板に使用することを可能とし、高輝度ＬＥＤの特性を生かした従来にない内照明式看板の提供を可能とした。
【考案の開示】
【考案が解決しようとする課題】
【０００８】
本願考案は、この特願２００５−１３６３３０号に係る創作を更に推し進めて、高輝度ＬＥＤの放熱をより効果的に行うものである。そして、更に、そのような放熱を効果的に行う手段を利用して、簡単に、光源ユニットを看板に取り付け或いは交換すること（着脱）を可能とし、このような高輝度ＬＥＤを用いた看板の普及を図るものである。
【課題を解決するための手段】
【０００９】
本願第１の考案は、広告面を備えた看板に設けられるものであり、電気の供給を受けて発光し、看板の照明を行う、複数の高輝度ＬＥＤ５…５を備えた看板の光源ユニット２について、次の構成を採るものを提供する。
即ち、この看板の光源ユニット２は、複数の上記高輝度ＬＥＤ５…５と、当該高輝度ＬＥＤ５…５を支持する支持体６と、当該支持体６を看板或いは建造物の固定部位に固定する取付部材４とを備える。上記支持体６は、前面部と、側面部と、後面部とを備え、且つ、当該前面部に複数の上記高輝度ＬＥＤ５…５を間隔を開けて保持する、板状のヒートシンクであり、当該側面部に放熱を促進する起伏部７を備える。上記の取付部材４は、上記固定部位に固定される基体部４１と、基体部４１から突出する少なくとも２つの保持片４２，４２とを備え、上記基体部４１が上記支持体６の後面部と対応し、上記保持片４２，４２の夫々が支持体６の側面部と対応する。上記保持片４２，４２の夫々は、支持体６側面の上記起伏部７と対応する、起伏部８を備える。上記の両保持片４２，４２は、弾性を備え、当該保持片４２，４２間に上記支持体６を押圧することにより保持片４２，４２間が押し広げられて、上記支持体６を保持片４２，４２間へ強制的に挿入することができ、支持体６と保持片４２，４２の上記起伏部７，８同士が嵌り合うことにより、記支持体６の脱落を防止する。
ここでいう広告面とは、広告や案内の表示面である。
【００１０】
本願第２の考案は、上記本願第１の考案に係る看板の光源ユニットについて、次の構成を備えを提供する。
即ち、上記の支持体６は、その前面側から眺めた状態において長辺と短辺とを備えた、長尺状体である。上記の支持体６側面部の起伏部７は、支持体６の長手方向に沿って伸びる。取付部材４に嵌められた上記の支持体６を、取付部材４の保持片４２，４２の上記起伏部８をガイドとしてスライドさせることにより、上記固定部位に対する取り付け位置を調整することができる。
【００１１】
本願第３の考案は、上記本願第２の考案に係る看板の光源ユニットについて、次の構成を備えたものを提供する。
即ち、取付部材４の上記基体部４１が、上記支持体６と、上記固定部位との間に介されることにより、上記支持体６の後面部と、上記固定部位との間に間隔が確保され、支持体６後面部が空気と接触し放熱できる。
【００１２】
本願第４の考案は、上記本願第３の考案に係る看板の光源ユニットについて、次の構成を備えたものを提供する。
即ち、この光源ユニットは、光を透過する広告面を備えた内照式看板の、ケーシングの内部に設けられるものである内照式の看板の光源ユニットであって、次の構成を採る。
上記の取付部材４は、当該支持体６を上記ケーシング１０内に固定するものである。上記の支持体６は、２つの側面構成片６１，６１と、両側面構成片６１，６１間を連結する連結部６２とを備えた金属製の断面視略Ｈ型の部材である。上記連結部６２の前面と、両側面構成片６１，６１の上記連結部６２よりも前面側に突出する部位とが、支持体６の前面部を構成し、上記連結部６２の後面と、両側面構成片６１，６１の上記連結部６２より後面側に突出する部位とが、支持体６の後面部を構成する。上記の上記高輝度ＬＥＤ５…５の夫々は、１本の支持体６の上記連結部６２の前面へ、間隔を開け、当該支持体６の長手方向に沿って一列に配列されたものである。隣り合う当該高輝度ＬＥＤ５，５間の間隔は４０ｍｍ〜２００ｍｍであり、当該支持体６には、各高輝度ＬＥＤ５…５を覆い光を分散する光透過板９が備えられている。上記両側面構成片６１，６１の内側の面において、上記連結部６２よりも前方の部位には、上記光透過板９の後面と対応する棚部６３と、当該光透過板９の前面と対応する押さえ部６４とが形成され、当該棚部６３と押さえ部６４との間に上記光透過板９の周縁部が配置されている。上記両側面構成片６１，６１の後端から内側に突出する当接部６５，６５が形成され、当該当接部６５，６５は、上記取付部材４の基体部４１と当接する。支持体６側面部の上記起伏部７は、両側面構成片６１，６１の外側の面に設けられて、支持体６の長手方向へ伸びる溝である。上記の取付部材４の起伏部８は、保持片４２，４２の内側に設けられて、上記溝に嵌合する突出部である。上記の取付部材４は、１本の支持体に対してケーシング１０の内面に複数設けられ、当該複数の取付部材４…４は間隔を開けて配置されたものである。
【００１３】
本願第５の考案は、光を透過する広告面を備えたケーシング１０と、当該ケーシング１０の内部に設けられ電気の供給を受けて発光する複数の高輝度ＬＥＤ５…５と、当該電気を供給する電源３と、高輝度ＬＥＤ５…５に流れる電流の値を所定の値に維持する制御を行う電流制御回路とを備えた内照式看板１について、次の構成を採るものを提供する。
即ち、この内照式看板１は、光源ユニット２…２を備える。上記の光源ユニット２…２は、複数の上記高輝度ＬＥＤ５…５と、当該高輝度ＬＥＤ５…５を支持する支持体６と、当該支持体６を上記ケーシング１０内に固定する取付部材４とを備える。上記支持体６は、前面部と、側面部と、後面部とを備え、且つ、当該前面部に複数の上記高輝度ＬＥＤ５…５を間隔を開けて保持する、板状のヒートシンクであり、当該側面部に放熱を促進する起伏部７を備える。上記の取付部材４は、ケーシング１０の内面に固定される基体部４１と、当該基体部４１から突出する少なくとも２つの保持片４２，４２とを備えた金属製の部材である。上記基体部４１が上記支持体６の後面部と対応し、上記保持片４２，４２の夫々が支持体６の側面部と対応するものである。上記保持片４２，４２の夫々は、支持体６側面の上記起伏部７と対応する、起伏部８を備えたものである。上記両保持片４２，４２は、弾性を備え、当該両保持片４２，４２間に上記支持体６を押圧することにより保持片４２，４２間が押し広げられて、上記支持体６を保持片４２，４２間へ強制的に挿入することができ、支持体６と保持片４２，４２の上記起伏部７，８同士が嵌り合うことにより、上記支持体６の脱落を防止する。ケーシング１０の上記取付部材４が固定される部位は、金属製の放熱用部材である。
上記の電流の値について、所定の値とは、高輝度ＬＥＤの発熱により生ずる当該ＬＥＤに流れる電流の値の増加を、抑制するに適した値をいう。当該所定の値については、個々のＬＥＤの特性に合わせて設定すればよい。
【考案の効果】
【００１４】
本願第１〜５の考案は、高輝度ＬＥＤを用いることにより、従来の蛍光灯を光源とする内照式看板と同等の輝度を、少数のＬＥＤで確保でき、省エネルギー化を促進した。
特に、本願第１〜５の考案は、光源となる高輝度ＬＥＤの発熱に対して、放熱を効果的に行う工夫、即ち、高輝度ＬＥＤを支持する支持体をヒートシンクとすると共に、当該支持体の側面部に起伏部を形成することにより、支持体の表面積を拡大して空気との接触（空冷）を、より確実に行うものとした。
そして、このような放熱のための起伏部を利用し、支持体の看板或いは看板を取り付ける建造物の表面（壁面）といった固定部位に対して、当該固定部位に固定された取付部材に、支持体を押し込み、強制嵌合することにより、簡単に当該支持体を取り付けることを可能とした。また、ＬＥＤの交換時などにおいて、支持体を看板などの固定部位から取り外す際も、上記と逆に取付部材から支持体を引張ることにより、取り出すことができる。即ち、支持体の固定部位に対する着脱が容易に行える。その上で、使用時は、支持体を確実に固定部位に固定することができる。
【００１５】
特に、光源を複数の高輝度ＬＥＤで構成すると共に当該複数の高輝度ＬＥＤを支持体に設けることにてユニット化し、製造時或いはメンテナンス時に、当該支持体の取り付けにより複数の高輝度ＬＥＤを纏めて看板へ取り付けることができる。例えば、複数の支持体をケーシング内に設けるものとし、１つの支持体に上記ＬＥＤの一群を保持させて光源ユニットとすることにより、当該ユニットの着脱により、複数のＬＥＤを看板に付け外しすることができ、製造や設計変更を効率よく行うことができる。また、１つの光源ユニットにて、複数の高輝度ＬＥＤを纏めて取り扱えるので、光源取り付けの手間が、蛍光灯に比べ極端に大きくなることもない。
【００１６】
このため、従来の蛍光灯を用いた既存の看板に使用していたスペースを利用して、当該看板を取り付けて、従来品と置き換えることができる。
従って、このような高輝度ＬＥＤ群のユニット化により、蛍光灯を使用している既設の看板のケーシングの内部のみを簡単に高輝度ＬＥＤに置き換えることができる。
また、適切な熱管理により、極めて寿命の長い高輝度ＬＥＤを採用することで、蛍光灯に比して、交換の回数を著しく低減することができ、長期に渡って、ランニングコストを抑制することができる。
【００１７】
また、ユニット化により、少数の高輝度ＬＥＤ群を一単位としてＬＥＤ群（ユニット）ごとに電流制御回路を用意することも比較的容易に行える。このように、ＬＥＤ群（ユニット）ごとに、電流制御回路を設けて、電流（放熱）の制御を行うにより、看板に設ける高輝度ＬＥＤの数量の変更も、このようなＬＥＤ群（ユニット）とその電流制御回路単位で、簡単に行うことができる（回路自体の設計変更が不要である）。
【００１８】
特に、本願第２の考案では、上記の取付部材に対する支持体の嵌合位置がずれていても、支持体を取付部材に嵌め込んだ後、スライドにより、所望の位置に調整することができる。従って、取付部材に対する支持体の嵌め込み時に位置合わせを神経質に行う必要がなく、取り付けが極めて円滑に行える。
本願第３の考案では、上記支持体の後面と、看板又は建造物の固定部位との間に間隔が確保され、支持体後面部が空気と接触し、支持体の後面を放熱部として確実な放熱を行える。
【００１９】
本願第４の考案では、光透過板を配設することにより、指向性の強い高輝度ＬＥＤの発する光を看板の光源として適するように分散することを可能とした。
即ち、高輝度ＬＥＤに対して、光分散部材として光透過板を配設することにより、高輝度ＬＥＤを、このように疎に分布させても、コントラスト（明暗）のムラを抑制することができる。
そして、この本願第４の考案では、支持体の形状を、上記の光透過板を保持するのに適したものとした。また、支持体の形状を、特に、このような光透過板や高輝度ＬＥＤを取り付けるのに適した断面視Ｈ型とすることによって、Ｈ型の２本の脚と固定部位との間が閉鎖された空間となり、通気を阻害し、冷却を妨げるものとなるところを、上記の通り、取付部材の基体部が固定部位と当該支持体後面との間に介されることにより、支持体を所謂下駄を履かせたように、固定部位から（取付部材の基体部の厚み分）離し、固定部位と支持体後面との間を開放し、（複数の取付部材間を通気路として）通気を確保した。
更に、上記の当接部を設けることにより、支持体と取付部材との接触面積を拡大して、取り付け後の支持体を安定したものとした。
また、支持体の側面部及び取付部材の起伏部について、強制嵌合及びスライドに適した、より具体的な手段を提供した。
高輝度ＬＥＤは、上述の通り、従来の一般的なＬＥＤに比して輝度が著しく高いものであるため、その看板内にて配置分布を疎にすることができるが、発熱量が大きいため、特に疎に配列することが望まれる。本願第４の考案では、この点について、特に、支持体に複数の高輝度ＬＥＤを設けることによって、看板の設置現場において、当該光源ユニットを取り付けるだけで、看板に対して、上記の疎に配列した状態に高輝度ＬＥＤをセッティングすることができる。特に、この本願第４の考案では、固定部位に対して、光源ユニットを取り付けるだけで、高輝度ＬＥＤ間の間隔を放熱に適した間隔、即ち４０ｍｍ以上とし、また、周知の素材できた光拡散板を用いる拡散で１つ光源としての連続性を確保することができる２００ｍｍ以下とし得る。
【００２０】
本願第５の考案は、上記光源ユニットを用いた内照式看板を提供した。従って、この内照式看板において、光源ユニットによる上記種々の効果の恩恵を受けることができる。
この本願第５の考案において、とりわけ、ヒートシンクである支持体と共に上記の取付部材を熱伝導性に優れる金属製とし、また、当該取付部材が取り付けられる看板のケーシングの固定部位も放熱に優れる金属製とし、高輝度ＬＥＤの発熱、を支持体から直接取付部材が受けて上記看板の固定部位へ熱を逃がす。固定部位即ち、ケーシングの上記取付部材が固定される部位（看板の固定部位）は、金属製の放熱用部材であり、逃がされて来た熱を確実に放熱する。
また、高輝度ＬＥＤは、高温になると当該ＬＥＤに流れる電流量が増大し、このように電流量が増大した結果更に発熱量が大きくなるという悪循環を生ずるのであるが、電流制御回路によって、高輝度ＬＥＤに流れる電流の値を所定の値に維持させることにより、当該発熱量の増加を抑制した。
【考案を実施するための最良の形態】
【００２１】
以下、図面に基づき本願考案の実施の形態について説明する。
図１〜図７を用いて、本願考案の一実施の形態を説明する。図１は、本願考案に係る内照式看板の使用状態を示す斜視図である。図２は、図１の看板の分解斜視図である。図３は、上記看板の要部斜視図である。図４は、上記看板に設けられる光源ユニットの斜視図である。図５（Ａ）は上記光源ユニットの取付部材の側面図であり、図５（Ｂ）は当該光源ユニットの使用状態を示す断面図である。図６（Ａ）は図５（Ａ）へ示す取付部材の前面を示す正面図であり、図６（Ｂ）はその平面図である。図７は、上記光源ユニットの電気系統を示す説明図である。
各図において、説明の便宜上、Ｆは前方をＢは後方を示す。
【００２２】
図１へ示す通り、この内照式看板１は、建造物の壁面Ｗに取り付けて広告や案内を表示するものであり、図２へ示す通り、ケーシング１０と、当該ケーシング１０内に取り付けられる光源ユニット２…２と、電源３とを備える。
以下、各部の構成について詳しく説明する。
【００２３】
ケーシング１０は、図２へ示す通り、壁面Ｗに固定される後面部１１と、側面部１２…１２と、前面部１３とを備える。前面部１３は、光を透過して広告や案内などを表示する表示面１３ａを備える。
表示面１３ａ（広告面板）は、アクリル乳半（乳白色で光源の光の一部を透過するアクリル板）にて形成されている。
ケーシング１０において、少なくとも上記後面部１１は、放熱用部材として金属にて形成されている。当該後面部１１は、放熱性に優れるアルミニウムを採用するのが好ましい。但し、後面部１１は、鉄やその他の金属を採用することも可能である。後面部１１は、ボルトなどの周知の固定手段によって、建造物の壁面Ｗに固定されている。
また、この実施の形態では、後面部１１と、側面部１２…１２とが一体にされており、放熱効果を上げる上で、これらの側面部１２…１２についても、上記後面部１１と同様の金属にて形成するのが好ましい。
また、前面部１３は、後面部１１と側面部１２…１２にて構成されるケーシング本体に対して、その蓋体として形成されており、光源ユニット２の交換など内部のメンテナンス時に、ケーシング本体から着脱することができるよう、ボルトやネジ、或いは蝶番などの周知の固定手段（図示せず。）にて取り付けられている。この前面部１３についても、放熱効果を上げるために、広告の表示面１３ａ以外の部分（表示面１３ａを保持する部分）を、上記後面部１１と同様金属にて形成するのが好ましい。
【００２４】
上記の光源ユニット２は、ユニット本体２０と、当該ユニット本体２０をケーシング１０内部に固定する取付部材４とを備える。
ユニット本体２０は、図４及び図５（Ａ）へ示す通り、電気の供給を受けて発光する複数の高輝度ＬＥＤ５…５と、当該高輝度ＬＥＤに流れる電流の値を所定の値に維持する制御を行う電流制御回路５０（図７）と、当該高輝度ＬＥＤ５…５を支持する支持体６と、支持体６の両端に設けられた端部カバー６０，６０（図４）と、各高輝度ＬＥＤを覆い光を分散するプラスチック製の光透過板９と、化粧板９１とを備える。この実施の形態において、化粧板９１は、白色のシートである。
電源３は、上記の高輝度ＬＥＤ５…５に電気を供給する。
【００２５】
個々の高輝度ＬＥＤ５は、直径が２ｃｍ程度のチップである。またこの高輝度ＬＥＤ５には、従来のＬＥＤに比べて、１０〜３０倍の輝度を有するものを使用する。従来のＬＥＤは、主として発光ダイオードの発光する部分のみの簡単な構成のものであるが、ここで用いる高輝度ＬＥＤは、発光素子と共に放熱器が組み込まれた、集積化されたＬＥＤチップ（モジュール）であり、積極的に放熱が行えるため、従来のＬＥＤに比して大量の電流を流すことができる。これによって、従来のＬＥＤに比して高輝度の発光を可能とした（平成１７年４月２８日  株式会社三ツ星産業ホームページ  http://www2u.biglobe.ne.jp/ ￣mtbs/ ）。また、拡散・集光といった様々な用途に適したＬＥＤ専用に設計されたレンズが搭載されたものを採用するのが好ましい。この高輝度ＬＥＤとして、白色ＬＥＤを採用するのが好ましい。このような高輝度ＬＥＤには、ルキシオン（Luxeon  Star／登録商標／Lumileds社）を採用することができる。この高輝度ＬＥＤ５…５は、ネジ留めによって、支持体６に固定することができる。即ち、この高輝度ＬＥＤ５は、タッピングネジによって支持体６へ取り付けることができる。
【００２６】
上記支持体６は、前面部と、側面部と、後面部とを備え、且つ、当該前面部に複数の上記高輝度ＬＥＤを間隔を開けて保持する、金属でできた板状のヒートシンクである。支持体６は、当該側面部に放熱を促進する起伏部７を備える。上記の支持体６は、その前面側から眺めた状態において長辺と短辺とを備えた、長尺状体である。支持体６は、アルミニウムで形成するのが好ましく、その場合、支持体４の短辺の幅ｈは、３０〜１００ｍｍとするのが好ましい。また、ヒートシンクの素材としては、上記のアルミニウム或いはアルミニウム合金以外に、銅又は銅合金を採用することができる。
【００２７】
この実施の形態において、上記の支持体６は、対面する２つの側面構成片６１，６１と、両側面構成片６１，６１間に介されて両側面構成片６１，６１を連結する連結部６２とを備えた金属製の断面視略Ｈ型のアルミニウム製の部材である。上記連結部６２の前面（前方即ちハウジング１０内にて表示面１３ａを臨む面）と、両側面構成片６１，６１の上記連結部６２よりも前面側に突出する部位とが、支持体６の上記前面部を構成し、上記連結部６２の後面（上記前面と反対側の面）と、両側面構成片６１，６１の上記連結部６２より後面側に突出する部位とが、支持体６の後面部を構成する。両側面構成片６１，６１と連結部６２は、夫々、１〜５ｍｍの厚みを有するものとするのが好ましい。
【００２８】
図２、図４及び図５（Ｂ）へ示す通り、上記の上記高輝度ＬＥＤ５…５の夫々は、１本の支持体の上記連結部６２の前面側へ、間隔を開け、当該支持体６の長手方向に沿って一列に配列される。上記の高輝度ＬＥＤ５…５同士の間隔（ＬＥＤの中心間）は、４０ｍｍ以上２００ｍｍ以下とすればよい。特に高輝度ＬＥＤ５…５同士の間隔（ＬＥＤの中心間）を５５ｍｍ〜１５０ｍｍとするのが好ましい。高輝度ＬＥＤ５…５同士の間隔について上記の通り、４０ｍｍ以上とすることによって、高輝度ＬＥＤ５…５の発熱による問題も生じず、また、２００ｍｍ以下とすることによって、後述する光透過板により、光源として違和感のない連続性を確認することができた。
但し、支持体６各部の寸法や、ＬＥＤ間の間隔は、上記に限定するものではなく、必要に応じて変更可能である。
図５（Ｂ）へ示す通り、上記両側面構成片６１，６１の内側の面において、上記連結部６２よりも前方の部位には、上記光透過板９の後面と対応する棚部６３，６３と、当該光透過板９の前面と対応する押さえ部６４，６４とが形成され、当該棚部６３，６３と押さえ部６４，６４との間に上記光透過板９の周縁部が配置されている。上記棚部６３，６３と押さえ部６４，６４の間隔を光透過板９の厚みと同じとすることにより、光透過板９の周縁部が、上記棚部６３，６３と押さえ部６４，６４の双方と当接して、棚部６３，６３と押さえ部６４，６４とに挟持されるものであってもよく、また、上記棚部６３，６３と押さえ部６４，６４の間隔を光透過板９の厚みよりも大きいものとして、光透過板９の周縁部が、棚部６３，６３と押さえ部６４，６４によって挟持されるのではなく、支持体６からの脱落を規制するだけのものとしても実施可能である。但し、上記棚部６３，６３と押さえ部６４，６４の間隔は、光透過板９が脱落しないだけでなく、光透過板９が大きくガタついたりしない、即ち実用上問題のない範囲にて規制を行うのが好ましい。
また、上記の棚部６３，６３と連結部６２の間に、上記化粧板９１が配置されている。化粧板９１は、高輝度ＬＥＤ５を前方へ露出させる貫通孔９２が設けられている。上記両側面構成片６１，６１の後端は、内側に突出する当接部６５，６５が形成され、当該当接部６５，６５は、上記取付部材４の基体部４１と当接する。
支持体６側面部の上記起伏部７は、両側面構成片６１，６１の外側の面に設けられて、支持体６の長手方向に伸びる溝である。
【００２９】
上記の取付部材４は、図３へ示す通り、１本の支持体６に対してケーシング１０の後面部１１に複数設けられ、１本の光源ユニット２を取り付ける当該取付部材４…４同士は間隔を開けて配置されたものである。この実施の形態では、１本の光源ユニット２を、２個の取付部材４が保持するものとしたが、このような個数に限定するものではなく、３個以上であっても実施可能である。）但し、隣り合う取付部材４，４同士の間隔は、５ｃｍ以上とする。
この取付部材４は、ケーシング１０の内面（後面部１１の前面）に固定される基体部４１と、当該基体部から突出する少なくとも２つの保持片４２，４２とを備えた金属製の部材である。上記基体部４１が上記支持体６の後面部と対応し、上記保持片４２，４２の夫々が支持体６の側面部と対応するものである。上記保持片４２，４２の夫々は、支持体６側面の上記起伏部７と対応する、起伏部８を備えたものである。具体的には、上記の取付部材４の起伏部８は、保持片４２，４２の内側に設けられて、支持体６の上記溝に嵌合する突出部である。
即ち、上記両保持片４２，４２は、弾性を備え、当該両保持片４２，４２間に上記支持体６を押圧することにより保持片４２，４２間が押し広げられて、上記支持体６を保持片４２，４２間へ強制的に挿入することができ、支持体６と保持片４２，４２の上記起伏部同士が嵌り合うことにより、上記支持体６の脱落を防止する。取付部材４は、ステンレスのばね鋼で形成するのが好ましい。
【００３０】
図５（Ｂ）へ示す通り、上記の取付部材４の上記基体部４１が、上記支持体６（の当接部６５，６５）と、ハウジング１０の後面部１１との間に介されることにより、上記支持体６の後面と、ハウジング１０の後面部１１との間に、当該基体部４１の厚み分、間隔ｔが確保される。これによって、ハウジング１０の後面部１１と、連結部６２の後面側と、側面構成辺６１，６１とに囲まれた空間に、上記間隔ｔ分の隙間を確保し、通気を確保することができる。従って、支持体６後面部の放熱を促進できる。
支持体６は、放熱部材であるハウジング１０の後面部１１へ接触するように固定すれば、支持体６から熱を直接当該後面部１１へ伝導することができるが、上記の通り、ハウジング１０の後面部１１と、連結部６２の後面側と、側面構成辺６１，６１とに囲まれた空間との間に空気を封ずることとなり、この部位において支持体６はヒートシンクとしての機能が阻害される。従って、上記の通り、取付部材４の基体部４１を介して、通気性を確保すると共に、当該基体部４１を通じて、支持体６からハウジング１０の後面部１１へ熱を伝導して、上記のジレンマを解決した。
【００３１】
また、図４へ示す通り、上記の支持体６側面部の起伏部７は、支持体６の長手方向に沿って伸びる。取付部材４に嵌められた上記の支持体６を、取付部材６の保持片４２，４２の上記起伏部８をガイドとしてスライドさせることにより、看板（ハウジング１０）に対する取り付け位置を調整することができる。図４へ示す通り、端部カバー６０，６０に、看板の固定部位（後面部１１）と当接する当接片を設けて、上記の位置調整後、当該当接片をネジ或いはボルト止めにより、光源ユニット２の取付位置を固定するものとして実施することができる。
【００３２】
図３へ示す通り、各光源ユニット２…２が接触しないように、１つの光源ユニット２の支持体６を固定する取付部材４，４の組は、他の光源ユニット２を固定する取付部材４，４の組と間隔を開けて（図３に示す実施の形態においては、上下に間隔を開けて）ハウジング１０の後面部１１にネジ又はボルトといった周知の固定具によって取り付けられている。図６（Ａ）の４３は、基体部４１に設けられた、このような固定具を通す孔を示している。上記の隣り合う光源ユニット間の間隔は、５５〜４５０ｍｍとするのが好ましい。このようにユニット間の間隔を５５ｍｍ以上とすることによって、放熱も円滑に行え、また、４５０ｍｍ以下とすることによって、広告面を照らす光源として違和感を感じないことが確認できた。但しこのような数値に限定するのではなく、上記のユニット間の間隔については、変更可能である。
【００３３】
次にこの看板の電気系統について簡単に説明する。
図１〜図６の各図において隠れて見えないが、１つの支持体６に取り付けられて当該支持体６の光源を構成する複数の高輝度ＬＥＤ５…５同士は、導線（電気接続線）によって直列に接続されている（１つの支持体６に設けられた高輝度ＬＥＤ５…５において、隣接する高輝度ＬＥＤ５，５間は、夫々導線によって接続され、全体として数珠繋ぎとなっている）。この高輝度ＬＥＤ５…５の一群を直列につなぐ導線は、他の支持体５の高輝度ＬＥＤ５…５の一群を繋ぐ導線と共に、上記の電源３に接続されている。電流制御回路５０は、高輝度ＬＥＤ５…５と共に支持体６に設けても、また、支持体６の外部へ導線を介して配置するようにしても、何れでも実施可能である。
そして、１つの支持体６に設けられた上記一群の高輝度ＬＥＤ５…５に対して、１つの上記電流制御回路５０（図７）が上記導線によって接続される。
この電流制御回路５０は、上記高輝度ＬＥＤ５…５に流れる電流の値を所定の値に維持する制御を行う。
【００３４】
図７へ示す通り、この実施の形態において、上記の電流制御回路５０は、トランジスタ５１と、電圧制御部５２と、電源３から光源に流れる電流を検出する電流センサ５３とを備える。
トランジスタ５１は、上記の１つの支持体６に設けられた高輝度ＬＥＤ５…５群へ直列に接続される。更に、このトランジスタ５１は、上記の電圧制御部５２と電流センサ５３とに接続されている。
高輝度ＬＥＤ５は、温度の上昇によって通電する電流の量を増加する特徴を有し、通電する電流が増加する結果加熱し、更に通電量を増やすという悪循環におちいる。このため、電圧制御部５２は、上記の電流センサ５３にて、高輝度ＬＥＤ５…５へ流れる電流を監視する。所定の電流量を超えたことを電圧制御部５２が検知すると、電圧制御部５２は、電圧を調整することにより、上記の電流を制御する。例えば、電圧制御部５２は、トラジスタ５１を可変抵抗器としてその抵抗値を上昇させる制御を行い、高輝度ＬＥＤ２０への通電する電流を制限する。
【００３５】
電圧制御部５２は、具体的には、次の何れかの手法で実現することが可能である。先ず、第１の手法は、電圧制御部５３に、ＯＰ（オペ）アンプを採用し、上記の通りトランジスタを可変抵抗器として抵抗値を変えるものであり、定電流のフィードバックにより、ゲイン制御を行わせるものである（電圧設定が必要である）。第２の手法としては、電圧制御部５３を、マイコン（マイクロコンピュータ）即ちＣＰＵと記憶装置（ＲＯＭ）とにて構成し、ＰＷＭ（パルス・ワイドス・モジュレーション）制御を行うものを掲げることができる。ＰＷＭ制御とは、電圧をアナログ制御する第１の手法と異なり、電圧をパルスとし当該パルスのオン・オフによるデジタル制御を行うものであり、その際にパルス幅の比率（オン・オフの比率）を変更することにより、通電流の制御を行うものである。
尚、５４は、他のセンサを示している。この他のセンサ５４として、例えば、看板へ温度センサを設けて実施することができる。高輝度ＬＥＤは、上記の通り温度の影響によって、電流量が変化するので、高輝度ＬＥＤが発する熱の他、気温も検出して、上記制御の要因とすることにより、より的確な電流の制御が行える。但し、不要であれば、このような他のセンサ５４を設けずに実施することができる。
【００３６】
前述の光透過板９には、表面或いは裏面が梨地の透明の表面が平らな板状体を採用することができる。例えば、マット板といった梨子地状（すりガラスにみられるように、透明の板の表面に凹凸を形成して半透明としたもの。マット板の場合、一般にショットブラストにて透明板の表面に凹凸を形成してある）に形成されたものを光透過板９に採用することも可能である。この他、光を分散して透過する乳半色の板状体を用いて実施することも可能である。
光透過板９及び前述のケーシング１０の表示面１３ａは、アクリル乳半にて形成することができる。但し、このようなアクリル乳半以外に、ポリカーボネート、塩化ビニル、ＰＥＴ（ポリエチレンテレフタレート）を採用することも可能である。また、アクリルを用いる場合も、上記の他の素材を用いる場合も、光透過板９について、光の分散のために乳半として形成されたものに限定するものではなく、例えば、また、この他、透明板の表面に、ドットパターンをプリントすることによって、形成することも可能である。
このように光透過板９によって被覆されることで、防水（防滴）効果も得ることができる。通常ケーシング１についても雨水などが、内部に侵入しないように形成されるのであるが、このように光透過板９にて被覆することによって、より確実に水に弱いＬＥＤへの水分の浸入を防ぐことができる。また、図７へ示す通り、上記の光透過板９には、前面が凸状に湾曲した断面を有するものを採用して実施することも可能である。
【００３７】
上記において、高輝度ＬＥＤ（高輝度発光ダイオード）として、ルキシオンという、ネジ留タイプの基板（モジュール）を備えたものを示したが、当該高輝度ＬＥＤ５…５については、他の形態のものを用いて実施することが可能である。例えば、高輝度ＬＥＤとして、テープ基板タイプの高輝度ＬＥＤ（ＬＥＤモジュール）を採用して実施することができる。このようなテープ基板タイプの高輝度ＬＥＤ（ＬＥＤモジュール）には、DRAGONtape（商品名／三菱電機オスラム株式会社製／神奈川県横浜市西区北幸2-8-29東武横浜第3 ビル4 階）を採用することができる。これは、シート状に形成されたＬＥＤモジュールの後面に接着剤が塗布されており、支持体６の所望の位置に貼り付けることができるものである。
【００３８】
上記の実施の形態において、１つの支持体６は、６個の高輝度ＬＥＤ５…５が設けられるものとしたが、このような数量は変更可能である。また、光源ユニット２…２も図示した３本に限らず、２本以下、４本以上として実施することも可能である。即ち、所望の光源のワット（Ｗ）数の変更や、看板のサイズや広告面の寸法や表示される広告のレイアウトに合わせて、自由に変更することができる。特に、一つの支持体６に、直列に接続された高輝度ＬＥＤ５…５と共に、当該直列に接続された高輝度ＬＥＤ５…５と対応する電流制御回路を固定して、光源ユニット２として、一体化することによって、取扱いに優れる。上記の看板のサイズや広告面の変更に対応して、当該ユニットの配置や数量の変更で、簡便且つ迅速に対応することが可能となるからである。
また、上記の実施の形態において、長尺状の光源ユニット２…２は、その長手を水平とするように配設されたものを図示したが、その長手を鉛直方向に向けるように、看板内に配置して実施してもよい。光源ユニット２…２の長手の向きについては、これ以外に、水平及び鉛直に対して斜めに配置するものとして実施してもよい。
更に、上記の実施の形態において、支持部６の起伏部７を凹部即ち溝とし、取付部材４の起伏部８を凸部即ち突起部としたが、これとは、逆に、支持部の起伏部７を凸部即ち突起部とし、取付部材４の起伏部８を凹部即ち溝として実施することも可能である。
【００３９】
尚、上記の実施の形態では、看板１は、光を透過する広告面を有するケーシング１０を備え、光源ユニット２を当該ケーシング１０内に備えて、光源ユニットからの光を透過することにより広告を内照式看板であった。この他、内照式看板以外の電飾看板についても、本願考案に係る電源ユニットを採用することができる。例えば、図示はしないが、文字を象った板状で不透明の広告表示物を、スペーサを介して壁面から浮き上がった状態に取り付けると共に、当該広告表示物の裏側に光源ユニット２を取り付けて、壁面に向けて光を発し、壁面から反射する光にて当該広告表示物（が呈する文字）の周囲を光らせるものとしても実施可能である。このような間接照明によって、夜間に広告を表示するものについて、この光源ユニットを利用することができる。
【００４０】
最後に、高輝度ＬＥＤとして、一般に白色ＬＥＤと呼ばれる既述のＬＥＤを採用した場合の利点をまとめると、以下の通りである。
１）白熱灯・蛍光灯に比べ、看板全体として、省電力、ランニングコストが安い。
２）白熱灯・蛍光灯に比べ、寿命が長い・取替えの手間が省ける。
３）蛍光灯のように水銀などの有害物質を使っていない。
４）また、ＬＥＤは小型であるので、上記の支持体がヒートシンクとして十分に機能するための上記の寸法を確保することを前提として、従来の蛍光灯を用いた内照式看板に比して小型化することができる。
【図面の簡単な説明】
【００４１】
【図１】本願考案の一実施の形態に係る内照式看板の使用状態を示す斜視図である。
【図２】図１の看板の分解斜視図である。
【図３】上記看板の要部斜視図である。
【図４】上記看板に設けられる光源ユニットの斜視図である。
【図５】（Ａ）は上記光源ユニットの取付部材の側面図であり、（Ｂ）は当該光源ユニットの使用状態を示す断面図である。
【図６】（Ａ）は図５（Ａ）へ示す取付部材の前面を示す正面図であり、（Ｂ）はその平面図である。
【図７】光源ユニットの配線を示す説明図である。
【図８】光源ユニットの他の実施の形態を示す断面図である。
【符号の説明】
【００４２】
１    看板
２    光源ユニット
３    電源
４    取付部材
５    高輝度ＬＥＤ
６    支持体
１０    ケーシング
【図１】
0003126166.tif 000003
【図２】
0003126166.tif 000004
【図３】
0003126166.tif 000005
【図４】
0003126166.tif 000006
【図５】
0003126166.tif 000007
【図６】
0003126166.tif 000008
【図７】
0003126166.tif 000009
【図８】
0003126166.tif 000010
【手続補正書】
【提出日】平成18年7月31日(2006.7.31)
【手続補正１】
【補正対象書類名】図面
【補正対象項目名】図１
【補正方法】変更
【補正の内容】
【図１】
0003126166.tif 000011
【手続補正２】
【補正対象書類名】図面
【補正対象項目名】図２
【補正方法】変更
【補正の内容】
【図２】
0003126166.tif 000012